(57)【特許請求の範囲】
【請求項１】
汚水を収納するための汚水収納槽と、この汚水収納槽に設けられ、汚水中のリン酸を除去するための鉄イオンまたはアルミニウムイオンを電気分解により溶出する少なくとも一組の電極と、これらの電極に電解用電流を供給するための電源と、この電源に接続され電気分解を制御するための制御盤と、この制御盤と電極との間に配されるハーネスとを備えてなり、
電源が、定電流を供給するものであり、さらに、電極間電圧の変化によって電源から電極までのハーネスの断線を検出するための検出部と、この検出部による検出結果に基づいてそのハーネスの断線を報知するための報知部とが設けられていることを特徴とする汚水処理装置。
【請求項２】
報知部が、視覚的報知部及び聴覚的報知部のうちの少なくとも一方からなり、制御盤に設けられている請求項１に記載の汚水処理装置。
【請求項３】
汚水を収納するための汚水収納槽と、この汚水収納槽に設けられ、汚水中のリン酸を除去するための鉄イオンまたはアルミニウムイオンを電気分解により溶出する少なくとも一組の電極と、これらの電極に電解用電流を供給するための電源と、この電源に接続され電気分解を制御するための制御盤と、この制御盤と電極との間に配され、これらを接続するための中継コネクターを有する中継器とを備えてなり、
電源が、定電流を供給するものであり、さらに、電極間電圧の変化によって中継コネクターの接続外れを検出するための検出部と、この検出部による検出結果に基づいて中継コネクターの接続外れを報知するための報知部とが設けられていることを特徴とする汚水処理装置。
【請求項４】
報知部が、視覚的報知部及び聴覚的報知部のうちの少なくとも一方からなり、制御盤に設けられている請求項３に記載の汚水処理装置。
【発明の詳細な説明】
【０００１】
【発明の属する技術分野】
本発明は汚水処理装置に関するものであり、さらに詳しくは、汚水中のリン酸を除去するための浄化槽などの汚水処理装置に関するものである。
【０００２】
【従来の技術】
従来、この種の汚水処理装置としては、汚水を収納するための汚水収納槽と、この汚水収納槽に設けられ、汚水中のリン酸を除去するための鉄イオンまたはアルミニウムイオンを電気分解により溶出する少なくとも一組の電極と、これらの電極に電解用電流を供給するための電源と、この電源に接続され電気分解を制御するための制御盤と、この制御盤と電極とを接続するための中継器とを備えてなるものが知られている。
【０００３】
このような汚水処理装置における中継器には中継コネクターが備わっており、この中継コネクターを用いて制御盤と電極とを簡単に接続することができるようになっている。
【０００４】
【発明が解決しようとする課題】
このような汚水処理装置にあっては、その設置時やメンテナンス時に中継コネクターによる接続を忘れてしまい、その接続がされていない接続外れの状態で設置完了やメンテナンス終了の判断をしてしまうことがある。
【０００５】
あるいは、電源から電極までのハーネスが何らかの原因で断線している場合に、それに気付くことなく設置完了やメンテナンス終了の判断をしてしまうこともある。
【０００６】
本発明は、このような実情に鑑みてなされたものであり、その目的は、中継コネクターの接続忘れや、電源から電極までのハーネスの断線があったときに、それを検出することのできる汚水処理装置を提供することにある。
【０００７】
【課題を解決するための手段】
本発明の１つの観点によれば、汚水を収納するための汚水収納槽と、この汚水収納槽に設けられ、汚水中のリン酸を除去するための鉄イオンまたはアルミニウムイオンを電気分解により溶出する少なくとも一組の電極と、これらの電極に電解用電流を供給するための電源と、この電源に接続され電気分解を制御するための制御盤と、この制御盤と電極との間に配されるハーネスとを備えてなり、電源が、定電流を供給するものであり、さらに、電極間電圧の変化によって電源から電極までのハーネスの断線を検出するための検出部と、この検出部による検出結果に基づいてそのハーネスの断線を報知するための報知部とが設けられていることを特徴とする汚水処理装置が提供される。
【０００８】
汚水収納槽には、少なくとも一組の電解用電極が設けられ、処理すべき汚水が収納される。
【０００９】
少なくとも一組の電極は、板や棒などの所望の形態に構成され、例えば電極保持体に保持されて汚水収納槽に吊り下げ状に配される。これらの電極は、電気分解により、水中のリン酸分を除去するための鉄イオンあるいはアルミニウムイオンを溶出する。
【００１０】
一組の電極は例えば、両方とも鉄電極あるいはアルミニウム電極から構成され、または一方が鉄電極あるいはアルミニウム電極から構成され他方が不溶性金属電極から構成される。前者の場合は、所望により電極の極性反転を行うことで、電極からのイオン溶出が阻害されるおそれのある、電極表面への酸化物層の形成を防止することができる。また、後者の場合は、鉄電極あるいはアルミニウム電極を陽極とし、不溶性金属電極を陰極とする。不溶性金属電極としては、例えば銀や白金などからなる電極がある。
【００１１】
鉄電極あるいはアルミニウム電極から汚水収納槽に溶出した鉄イオンあるいはアルミニウムイオンは、水中のリン酸（オルトリン酸）と反応して、水不溶性の塩、すなわち、水不溶性リン化合物（Ｆｅ（ＯＨ）x（ＰＯ4）y  あるいはＡｌ（ＯＨ）x（ＰＯ4）y）となって凝集し沈殿する。
【００１２】
電源は、これらの電極に電解用電流を供給するためのものであるが、本発明にあっては、単位時間当たりの溶出イオン量を一定にするために電流値を一定にして電気分解を行う、定電流電解のための電流を供給するものである。
【００１３】
制御盤は、電気分解を制御するためのものであり、電源に接続される。ハーネスは、制御盤と電極との間に配される。
【００１４】
この汚水処理装置にはさらに、検出部と報知部とが設けられている。
【００１５】
検出部は、電極間電圧の変化によって電源から電極までのハーネスの断線を検出するためのものである。この検出部は、定電流電気分解において制御盤と電極との接続がなされていないときに電極間電圧が変化すること、すなわち電極間電圧が上昇することを利用して、その上昇度から前記ハーネスの断線を検出する。また、報知部は、この検出部による検出結果に基づいて前記ハーネスの断線を報知するためのものである。
【００１６】
以上のように構成された汚水処理装置にあっては、電源から電極までのハーネスの断線を検出部により検出することができ、それを報知部によって報知することができる。
【００１７】
本発明の１つの観点による汚水処理装置は、報知部が、視覚的報知部及び聴覚的報知部のうちの少なくとも一方からなり、制御盤に設けられているのが好ましい。視覚的報知部としては例えば、制御盤に設けられた警報ランプなどが用いられる。また、聴覚的報知部としては例えば、制御盤に設けられた警報ブザーなどが用いられる。視覚的報知部及び聴覚的報知部は、それぞれ単独で用いられてもよく、両者が組み合わされて用いられてもよい。
【００１８】
このような報知部の備わった汚水処理装置にあっては、簡単で安価な部材により、電源から電極までのハーネスの断線の報知を行うことができる。
【００１９】
本発明の別の観点によれば、汚水を収納するための汚水収納槽と、この汚水収納槽に設けられ、汚水中のリン酸を除去するための鉄イオンまたはアルミニウムイオンを電気分解により溶出する少なくとも一組の電極と、これらの電極に電解用電流を供給するための電源と、この電源に接続され電気分解を制御するための制御盤と、この制御盤と電極との間に配され、これらを接続するための中継コネクターを有する中継器とを備えてなり、電源が、定電流を供給するものであり、さらに、電極間電圧の変化によって中継コネクターの接続外れを検出するための検出部と、この検出部による検出結果に基づいて中継コネクターの接続外れを報知するための報知部とが設けられていることを特徴とする汚水処理装置が提供される。
【００２０】
中継器は、制御盤と電極とを接続するための中継コネクターを有し、制御盤と電極との間に配される。中継コネクターとしては、例えば二分割型のものが好ましく用いられる。
【００２１】
この汚水処理装置にはさらに、検出部と報知部とが設けられている。検出部は、電極間電圧の変化によって中継コネクターの接続外れを検出するためのものである。この検出部は、定電流電気分解において制御盤と電極との接続がなされていないときに電極間電圧が変化すること、すなわち電極間電圧が上昇することを利用して、その上昇度から中継コネクターの接続外れを検出する。また、報知部は、この検出部による検出結果に基づいて中継コネクターの接続外れを報知するためのものである。
【００２２】
以上のように構成された汚水処理装置にあっては、中継コネクターの接続忘れを検出部により検出することができ、その検出結果を報知部によって報知することができる。
【００２３】
本発明の別の観点による汚水処理装置は、報知部が、視覚的報知部及び聴覚的報知部のうちの少なくとも一方からなり、制御盤に設けられているのが好ましい。視覚的報知部及び聴覚的報知部は、前記のようなものが用いられるが、それぞれ単独で用いられてもよく、両者が組み合わされて用いられてもよい。
【００２４】
このような報知部の備わった汚水処理装置にあっては、簡単で安価な部材により、中継コネクターの接続忘れの報知を行うことができる。
【００２５】
【発明の実施の形態】
以下、本発明に係る２つの実施の形態を図面に基づいて説明する。なお、これらによって本発明が限定されるものではない。
【００２６】
実施の形態１
図１〜図３に示すように、本発明の実施の形態１に係る汚水処理装置１は、汚水収納槽としての電解槽４と、複数の電極ユニット５と、電源としての定電流電源部１５と、制御盤６と、中継器９とを備えてなる。
【００２７】
電解槽４には、流入口２から流入した汚水が収納される。それぞれの電極ユニット５は、一組の電極と、これらの電極を保持するための１つの電極保持体とからなる。
【００２８】
定電流電源部１５は、単位時間当たりの溶出イオン量を一定にするために電流値を一定にして電気分解を行う定電流電解のための電流を電極ユニット５の電極に供給する。制御盤６は、汚水処理装置１の外部、例えば汚水処理装置１が組み込まれた浄化槽のすぐ近くの建物の壁などに配設され、電源部１５に接続されて電気分解を制御する。中継器９は、制御盤６と電極ユニット５との間に配され、これらを接続するための複数の中継コネクターを有している。
【００２９】
図４及び図５に示すように、それぞれの中継コネクター１８は、ねじ部材１９で固定されたターミナルケース２０の内部に配設されており、雄の下部コネクター１８ａと雌の上部コネクター１８ｂとからなる２分割型のものである。下部コネクター１８ａには、接続のロック及びその解除を行うためのカップリングナット１８ｃが設けられている。
【００３０】
これらの中継コネクター１８の接続方法について説明する。図５に示すように、下部コネクター１８ａと上部コネクター１８ｂとを向かい合わせて配し、両者を嵌め合わせた後、図６に示すように、下部コネクター１８ａのカップリングナット１８ｃを上部コネクター１８ｂの方へ直線矢印のように押し付けた後、カップリングナット１８ｃを曲線矢印のように時計周りに回転させて、ロックする。
【００３１】
図１に示すように、この汚水処理装置１には、電気分解中の電極の表面を散気により洗浄して電極不動態化を防止するために散気装置７が設けられている。
【００３２】
すなわち、散気装置７は、電解槽４において電極ユニット５の下方に配された散気管１０と、電解槽４の外部に配された空気供給用ブロア１１と、ブロア１１と散気管１０とを接続する給気管１２とからなる。
【００３３】
なお、図１において、３は、電解槽４において電解を受けた汚水が流出する流出口を示し、８は、電極ユニット５と中継器９とを接続するための電極ユニットケーブルを示している。
【００３４】
電極は、いずれも鉄製であり、電気分解により、水中のリン酸分を除去するための鉄イオンを溶出する。電極から電解槽４に溶出した鉄イオンは、水中のリン酸（オルトリン酸）と反応して、水不溶性の塩、すなわち、水不溶性リン化合物（Ｆｅ（ＯＨ）x（ＰＯ4）y）となって凝集し沈殿する。
【００３５】
図２及び図７に示すように、制御盤６には、検出部としての電圧検出部１６と、視覚的報知部としての警報ランプ１７とが設けられている。
【００３６】
電圧検出部１６は、電極間電圧の変化によって中継コネクター１８の接続外れを検出するためのものである。すなわち、電圧検出部１６は、定電流電気分解において制御盤６と電極ユニット５との接続がなされていないときに電極間電圧が変化すること、すなわち電極間電圧が上昇することを利用して、その上昇度から中継コネクター１８の接続外れを検出する。
【００３７】
警報ランプ１７は、ＬＥＤからなり、電圧検出部１６による検出結果に基づいて中継コネクターの接続外れを報知する。なお、図７において、２１は電源ランプを示している。
【００３８】
図２に示すように、制御盤６は、定電流電源方式の電気分解を制御するものであるため、中継コネクター１８が前記のように正常に接続されていれば、すなわち電極ユニットケーブル８が中継器９に正常に接続されていれば、図８に示すように、電極ユニット５の負荷抵抗はＲ１（Ω）となり、定電流電源部１５の出力電圧Ｖ１は約１０Ｖとなる。
【００３９】
中継コネクター１８が接続されていない場合には、すなわち電極ユニットケーブル８が中継器９に接続されていない場合には、電極ユニット５の負荷抵抗は無限大となり、あらかじめ設定された負荷抵抗Ｒ２（Ω）から決定される設定電圧（１５Ｖ）よりも大きい出力電圧Ｖ１が出力される。この出力電圧Ｖ１は、電圧検出部１６で設定電圧（１５Ｖ）と比較され、警報ランプ１７が点灯する。
【００４０】
以上の電圧検出部１６による検出及び警報ランプ１７による報知のフローチャートを図9に示す。
【００４１】
このように、汚水処理装置１にあっては、電極ユニットケーブル８の中継コネクター１８の接続忘れがあったときに、警報ランプ１７の点灯により異常を知らせることが可能になる。
【００４２】
以上のように構成された汚水処理装置１は、図１０に示すような浄化槽に組み込まれて用いられている。
【００４３】
この浄化槽の内部は、処理すべき汚水が流入する左端の流入管の側から、汚水処理ずみの水が外部へ放流される右端の放流管の側にかけて、汚水浄化処理の工程順に応じて複数の槽が区画形成された槽構造にされている。
【００４４】
Ａは、流入管側の最前部に区画形成された夾雑物除去槽である。この夾雑物除去槽Ａでは、汚水の中に混入している夾雑物を沈殿分離させて除去する。
【００４５】
Ｂは、夾雑物除去槽Ａに隣接して区画形成された嫌気濾床槽である。この嫌気濾床槽Ｂでは、嫌気濾床に嫌気性微生物を棲息させることで嫌気処理を行うようにされている。
【００４６】
Ｃは、嫌気濾床槽Ｂに隣接して区画形成された生物濾過槽である。この生物濾過槽Ｃには好気性微生物の濾床である好気濾床が設けられており、その好気濾床に好気性微生物を棲息させることで好気処理及び濾過を行うようにされている。
【００４７】
Ｄは、生物濾過槽Ｃに隣接して区画形成された処理水槽である。この処理水槽Ｄでは、生物濾過槽Ｃで好気処理され、濾過されて移流してきた処理水を静置貯蔵する。
【００４８】
Ｅは、処理水槽Ｄの上部に区画形成された消毒槽である。この消毒槽Ｅは通常、処理水槽Ｄで処理された後の上澄み水を消毒処理して、放流管から外部へ放流するようにされている。
【００４９】
処理水槽Ｄから夾雑物除去槽Ａの上方へかけて、処理水中の水を常時返送するための循環路が設けられている。この循環路には、処理水槽Ｄからの水の流れの順に、分水計量装置Ｆ、返送管Ｇ及び汚水処理装置１が設けられている。汚水処理装置１の流出口３から流出する水は、夾雑物除去槽Ａに流れ落ちるようになっている。
【００５０】
実施の形態２
本発明の実施の形態２に係る汚水処理装置５１も、図１１に示すような浄化槽に組み込まれて用いられている。
【００５１】
すなわち、係る汚水処理装置５１は、汚水収納槽としての生物濾過槽Ｃと、複数の電極ユニット５と、図２に示すような、電源としての定電流電源部１５と、制御盤６と、中継器９とを備えてなる。
【００５２】
制御盤６には、検出部としての電圧検出部１６と、視覚的報知部としての警報ランプ１７とが設けられている。
【００５３】
電圧検出部１６は、電極間電圧の変化によって定電流電源部１５から電極ユニット５までのハーネスの断線を検出するためのものである。この電圧検出部１６は、定電流電気分解において制御盤６と電極ユニット５との接続がなされていないときに電極間電圧が変化すること、すなわち電極間電圧が上昇することを利用して、その上昇度から前記ハーネスの断線を検出する。また、警報ランプ１７は、電圧検出部１６による検出結果に基づいて前記ハーネスの断線を報知する。
【００５４】
このように、汚水処理装置５１にあっては、定電流電源部１５から電極ユニット５までの電極ユニットケーブル８に断線があったときに、警報ランプ１７の点灯により異常を知らせることが可能になる。
【００５５】
【発明の効果】
請求項１に係る汚水処理装置にあっては、汚水を収納するための汚水収納槽と、この汚水収納槽に設けられ、汚水中のリン酸を除去するための鉄イオンまたはアルミニウムイオンを電気分解により溶出する少なくとも一組の電極と、これらの電極に電解用電流を供給するための電源と、この電源に接続され電気分解を制御するための制御盤と、この制御盤と電極との間に配されるハーネスとを備えてなり、電源が、定電流を供給するものであり、さらに、電極間電圧の変化によって電源から電極までのハーネスの断線を検出するための検出部と、この検出部による検出結果に基づいてそのハーネスの断線を報知するための報知部とが設けられていることを特徴とする。
したがって、電源から電極までのハーネスの断線を検出部により検出することができ、その検出結果を報知部によって報知することができる。
【００５６】
請求項２に係る汚水処理装置にあっては、報知部が、視覚的報知部及び聴覚的報知部のうちの少なくとも一方からなり、制御盤に設けられている。したがって、簡単で安価な部材により、電源から電極までのハーネスの断線の報知を行うことができる。
【００５７】
請求項３に係る汚水処理装置にあっては、汚水を収納するための汚水収納槽と、この汚水収納槽に設けられ、汚水中のリン酸を除去するための鉄イオンまたはアルミニウムイオンを電気分解により溶出する少なくとも一組の電極と、これらの電極に電解用電流を供給するための電源と、この電源に接続され電気分解を制御するための制御盤と、この制御盤と電極との間に配され、これらを接続するための中継コネクターを有する中継器とを備えてなり、電源が、定電流を供給するものであり、さらに、電極間電圧の変化によって中継コネクターの接続外れを検出するための検出部と、この検出部による検出結果に基づいて中継コネクターの接続外れを報知するための報知部とが設けられていることを特徴とする。
したがって、中継コネクターの接続忘れを検出部により検出することができ、その検出結果を報知部によって報知することができる。
【００５８】
請求項４に係る汚水処理装置にあっては、報知部が、視覚的報知部及び聴覚的報知部のうちの少なくとも一方からなり、制御盤に設けられている。したがって、簡単で安価な部材により、中継コネクターの接続忘れの報知を行うことができる。
【図面の簡単な説明】
【図１】図１は、本発明の実施の形態１に係る汚水処理装置の構成説明図である。
【図２】図２は、図１の汚水処理装置のブロック図である。
【図３】図３は、図１の汚水処理装置の分解斜視図である。
【図４】図４は、図１の汚水処理装置の一部を構成する中継コネクターの斜視図である。
【図５】図５は、図４の中継コネクターを接続する前の状態を表す斜視図である。
【図６】図６は、図４の中継コネクターを接続した後の状態を表す斜視図である。
【図７】図７は、図１の汚水処理装置の一部を構成する制御盤の正面図である。
【図８】図８は、図１の汚水処理装置の一部を構成する電極ユニットの負荷抵抗と定電流電源部の出力電圧との関係を表すグラフである。
【図９】図９は、図１の汚水処理装置の電圧検出部による検出及び警報ランプによる報知を表すフローチャートである。
【図１０】図１０は、図１の汚水処理装置が組み込まれた浄化槽の内部構成を説明する構成説明図である。
【図１１】図１１は、本発明の実施の形態２に係る汚水処理装置が組み込まれた浄化槽の内部構成を説明する構成説明図である。
【符号の説明】
１    汚水処理装置
２    流入口
３    流出口
４    電解槽（汚水収納槽）
５    電極ユニット
６    制御盤
７    散気装置
８    電極ユニットケーブル
９    中継器
１０    散気管
１１    ブロア
１２    給気管
１５    定電流電源部（電源）
１６    電圧検出部（検出部）
１７    警報ランプ（報知部）
１８    中継コネクター
１９    ねじ部材
２０    ターミナルケース
５１    汚水処理装置
【図１】
0004520053.tif 000002
【図２】
0004520053.tif 000003
【図３】
0004520053.tif 000004
【図４】
0004520053.tif 000005
【図５】
0004520053.tif 000006
【図６】
0004520053.tif 000007
【図７】
0004520053.tif 000008
【図８】
0004520053.tif 000009
【図９】
0004520053.tif 000010
【図１０】
0004520053.tif 000011
【図１１】
0004520053.tif 000012